(57)【要約】【課題】ネイル用ステッカーを提供する。【解決手段】本発明の実施形態によるネイル用ステッカーは、身体の指爪または足爪に付着される粘着剤層と、粘着剤層の上部に備えられた中間層と、中間層の上部に備えられた印刷層と、を含み、粘着剤層の下部に備えられた第１離型剤層と、印刷層の上部に備えられた第２離型剤層と、をさらに含むことを特徴とする。本発明の実施形態によるネイル用ステッカーは、０．１〜３０ＭＰａの平均引張強度を有する特徴によって、ユーザの指爪または足爪に付着された後、使用中に発生する収縮現象を防止して、耐久性を向上させうる効果がある。【選択図】図１
2015036117.tif 000002
【特許請求の範囲】
【請求項１】
身体の指爪または足爪に付着される粘着剤層と、
前記粘着剤層の上部に備えられた中間層と、
を含むネイル用ステッカー。
【請求項２】
前記中間層の上面に備えられた印刷層をさらに含むことを特徴とする請求項１に記載のネイル用ステッカー。
【請求項３】
前記粘着剤層の下部に備えられた第１離型剤層と、
前記中間層の上部に備えられた第２離型剤層と、
をさらに含むことを特徴とする請求項１に記載のネイル用ステッカー。
【請求項４】
前記第１離型剤層または第２離型剤層は、湿式転写、熱転写及び乾式転写のうち何れか１つのための材質で形成されることを特徴とする請求項３に記載のネイル用ステッカー。
【請求項５】
前記粘着剤層から前記印刷層までの構造は、収縮現象を防止するために、０．１〜３０ＭＰａの平均引張強度を有することを特徴とする請求項２に記載のネイル用ステッカー。
【請求項６】
前記中間層は、
ＰＥＴ、ＯＰＰ、ＰＰ、ＰＳ、ＰＥ、ＰＶＣ、ＰＶＤＣ、ＥＶＡ樹脂、ＰＵ、ＴＰＵ、ポリアミド樹脂、ポリエステル樹脂、ポリ塩化ビニル樹脂、ポリスチレン樹脂、ポリエチレン樹脂、ポリプロピレン樹脂、及びアクリル樹脂のうち何れか１つまたは組合わせで形成され、
収縮現象を防止するために、０〜１０％の伸張率区間で０．１〜３０ＭＰａの平均引張強度を有することを特徴とする請求項１に記載のネイル用ステッカー。
【請求項７】
前記印刷層の上面に付着された立体材料をさらに含み、
前記立体材料は、グリッター、ブリング、スパンコール、コンフェッティ、ラインストーン、又はパールを含むことを特徴とする請求項２に記載のネイル用ステッカー。
【請求項８】
前記印刷層は、インクと媒介体とを含んだ層であって、グラビア印刷、フレックス印刷、及びスクリーン印刷のうち何れか１つの方法で形成されることを特徴とする請求項２に記載のネイル用ステッカー。
【請求項９】
身体の指爪または足爪に付着される粘着剤層と、
前記粘着剤層の上部に備えられた中間層と、
前記中間層の上部に備えられた印刷層と、
前記印刷層の上部に備えられたコーティング層と、
を含むネイル用ステッカー。
【請求項１０】
前記粘着剤層の下部に備えられた第１離型剤層と、
前記コーティング層の上部に備えられた第２離型剤層と、
をさらに含むことを特徴とする請求項９に記載のネイル用ステッカー。
【請求項１１】
前記第１離型剤層または第２離型剤層は、湿式転写、熱転写及び乾式転写のうち何れか１つのための材質で形成されることを特徴とする請求項１０に記載のネイル用ステッカー。
【請求項１２】
前記粘着剤層から前記コーティング層までの構造は、収縮現象を防止するために、０．１〜３０ＭＰａの平均引張強度を有することを特徴とする請求項９に記載のネイル用ステッカー。
【請求項１３】
前記コーティング層の上面に付着された立体材料をさらに含み、
前記立体材料は、グリッター、ブリング、スパンコール、コンフェッティ、ラインストーン、又はパールを含むことを特徴とする請求項９に記載のネイル用ステッカー。
【請求項１４】
前記中間層は、
ＰＥＴ、ＯＰＰ、ＰＰ、ＰＳ、ＰＥ、ＰＶＣ、ＰＶＤＣ、ＥＶＡ樹脂、ＰＵ、ＴＰＵ、ポリアミド樹脂、ポリエステル樹脂、ポリ塩化ビニル樹脂、ポリスチレン樹脂、ポリエチレン樹脂、ポリプロピレン樹脂、及びアクリル樹脂のうち何れか１つまたは組合わせで形成され、
収縮現象を防止するために、１０％の伸張率区間で０．１〜３０ＭＰａの平均引張強度を有することを特徴とする請求項９に記載のネイル用ステッカー。
【請求項１５】
前記コーティング層は、
ロールコーティング、コンマコーティング、スクリーンプリンティング及びスプレーコーティングのうち何れか１つの方法でＵＶ硬化型塗料をコーティングし、ＵＶを照射して、０．１〜３０ＭＰａの平均引張強度を有することを特徴とする請求項９に記載のネイル用ステッカー。
【請求項１６】
前記コーティング層は、
ＰＥＴ、ＯＰＰ、ＰＰ、ＰＳ、ＰＥ、ＰＶＣ、ＰＶＤＣ、ＥＶＡ樹脂、ＰＵ、ＴＰＵ、ポリアミド樹脂、ポリエステル樹脂、ポリ塩化ビニル樹脂、ポリスチレン樹脂、ポリエチレン樹脂、ポリプロピレン樹脂、アクリル系樹脂及びアクリル系樹脂のうち何れか１つまたは合成物に対して硬化剤を含有して、０．１〜３０ＭＰａの平均引張強度を有する層で形成されることを特徴とする請求項９に記載のネイル用ステッカー。
【発明の詳細な説明】
【技術分野】
【０００１】
本発明は、ネイル用ステッカーに係り、特に、収縮（ｓｈｒｉｎｋａｇｅ）現象を防止して、耐久性を向上させたネイル用ステッカーに関する。
【背景技術】
【０００２】
一般的に、女性は、粧し込むための手段として自分の手とネイルとを美しく飾って保存して、他人に魅力的な好感を与え、自分は満足感を得る。このように、ネイル美容は、ファッションの一部として位置づけるだけではなく、全体コーディネーションの完成とも言い、欠けてはならない非常に重要な部分として認識されている。しかも、現代の美容産業の発達につれて、単純なマニキュアの代わりに多様な形状や文字などを印刷（Ｎａｉｌ  ａｒｔ）するか、または人工爪を用いて自分のみの個性と美しさとを演出する場合が増えている趨勢である。
【０００３】
しかし、指爪にマニキュアなどを塗るネイルアートの場合、その作業が非常に煩わしくて難しいだけではなく、長期間が要求されることがあり、また、このようなネイルアートの場合、自分が直接描くのが難しくて、専門家に別途に高コストを支出し、サービスを受ける場合がほとんどである。また、頻繁な手洗浄によって指爪に印刷された多様な形状や文字などが何日も保つことができずに消されるので、高コストの支出に比べて、その効果が不備な問題点が提起された。
【０００４】
このような問題点を克服するために、特許文献１に記載のように、人工爪が開発されて使われている。
【０００５】
しかし、人工爪は、人工爪の背面に接着手段が備えられておらず、接着剤を付着して使うが、このような場合に、人工爪の背面に付着した接着剤を除去すると、人工爪の背面が汚くて、人工爪をリサイクルすることができない問題点があり、人工爪の背面に付着された接着剤を除去するために、リムーバーを使う途中で皮膚トラブルが発生する。
【０００６】
また、従来のネイルステッカーは、指爪または足爪に付着した後、使用中に収縮現象によってサイズが減少して、指爪または足爪の表面でサイズが減少した形態で備えられる問題点が発生する。
【先行技術文献】
【特許文献】
【０００７】
【特許文献１】韓国登録特許公報第１０−０３７０３７７号
【発明の概要】
【発明が解決しようとする課題】
【０００８】
本発明は、前記問題点を解消するために案出されたものであって、本発明の目的は、使用中に発生する収縮現象を防止して、耐久性を向上させたネイル用ステッカーを提供することである。
【課題を解決するための手段】
【０００９】
本発明の一実施形態によるネイル用ステッカーは、身体の指爪または足爪に付着される粘着剤層と、前記粘着剤層の上部に備えられた中間層と、前記中間層の上部に備えられた印刷層と、を含む。
【００１０】
本発明の一実施形態によるネイル用ステッカーは、前記粘着剤層の下部に備えられた第１離型剤層と、前記印刷層の上部に備えられた第２離型剤層と、をさらに含むことを特徴とする。
【００１１】
本発明の一実施形態によるネイル用ステッカーで、前記第１離型剤層または第２離型剤層は、湿式転写、熱転写及び乾式転写のうち何れか１つのための材質で形成されることを特徴とする。
【００１２】
本発明の一実施形態によるネイル用ステッカーで、前記粘着剤層から前記印刷層までの構造は、収縮現象を防止するために、０．１〜３０ＭＰａの平均引張強度（ｔｅｎｓｉｌｅ ｓｔｒｅｎｇｔｈ）を有することを特徴とする。
【００１３】
本発明の一実施形態によるネイル用ステッカーで、前記中間層は、ＰＥＴ、ＯＰＰ、ＰＰ、ＰＳ、ＰＥ、ＰＶＣ、ＰＶＤＣ、ＥＶＡ樹脂（Ｅｔｈｙｌｅｎｅ  Ｖｉｎｙｌ  Ａｃｅｔａｔｅ  Ｃｏｐｏｌｙｍｅｒ）、ＰＵ、ＴＰＵ、ポリアミド樹脂、ポリエステル樹脂、ポリ塩化ビニル樹脂、ポリスチレン樹脂、ポリエチレン樹脂、ポリプロピレン樹脂、及びアクリル樹脂のうち何れか１つまたは組合わせで形成され、収縮現象を防止するために、１０％の伸張率区間で０．１〜３０ＭＰａの引張強度を有することを特徴とする。
【００１４】
本発明の一実施形態によるネイル用ステッカーは、前記印刷層の上面に付着された立体材料をさらに含み、前記立体材料は、グリッター（ｇｌｉｔｔｅｒ）、ブリング（ｂｌｉｎｇ）、スパンコール（ｓｐａｎｇｌｅ）、コンフェッティ（ｃｏｎｆｅｔｔｉ）、ラインストーン（Ｒｈｉｎｅｓｔｏｎｅ）、及びパール（ｐｅａｒｌ）を含むことを特徴とする。
【００１５】
本発明の一実施形態によるネイル用ステッカーで、前記印刷層は、インクと媒介体とを含んだ層であって、グラビア印刷、フレックス印刷、及びスクリーン印刷のうち何れか１つの方法で形成されることを特徴とする。
【００１６】
また、本発明の他の実施形態によるネイル用ステッカーは、身体の指爪または足爪に付着される粘着剤層と、前記粘着剤層の上部に備えられた中間層と、前記中間層の上部に備えられた印刷層と、前記印刷層の上部に備えられたコーティング層と、を含む。
【００１７】
本発明の他の実施形態によるネイル用ステッカーは、前記粘着剤層の下部に備えられた第１離型剤層と、前記コーティング層の上部に備えられた第２離型剤層と、をさらに含むことを特徴とする。
【００１８】
本発明の他の実施形態によるネイル用ステッカーは、前記第１離型剤層または第２離型剤層は、湿式転写、熱転写及び乾式転写のうち何れか１つのための材質で形成されることを特徴とする。
【００１９】
本発明の他の実施形態によるネイル用ステッカーで、前記粘着剤層から前記コーティング層までの構造は、収縮現象を防止するために、０．１〜３０ＭＰａの平均引張強度を有することを特徴とする。
【００２０】
本発明の他の実施形態によるネイル用ステッカーは、前記コーティング層の上面に付着された立体材料をさらに含み、前記立体材料は、グリッター、ブリング、スパンコール、コンフェッティ、ラインストーン、及びパールを含むことを特徴とする。
【００２１】
本発明の他の実施形態によるネイル用ステッカーで、前記中間層は、ＰＥＴ、ＯＰＰ、ＰＰ、ＰＳ、ＰＥ、ＰＶＣ、ＰＶＤＣ、ＥＶＡ樹脂、ＰＵ、ＴＰＵ、ポリアミド樹脂、ポリエステル樹脂、ポリ塩化ビニル樹脂、ポリスチレン樹脂、ポリエチレン樹脂、ポリプロピレン樹脂、及びアクリル樹脂のうち何れか１つまたは組合わせで形成され、収縮現象を防止するために、１０％の伸張率区間で０．１〜３０ＭＰａの引張強度を有することを特徴とする。
【００２２】
本発明の他の実施形態によるネイル用ステッカーで、前記コーティング層は、ロールコーティング、コンマコーティング、スクリーンプリンティング及びスプレーコーティングのうち何れか１つの方法でＵＶ硬化型塗料をコーティングし、ＵＶを照射して、０．１〜３０ＭＰａの引張強度を有することを特徴とする。
【００２３】
本発明の他の実施形態によるネイル用ステッカーで、前記コーティング層は、ＰＥＴ、ＯＰＰ、ＰＰ、ＰＳ、ＰＥ、ＰＶＣ、ＰＶＤＣ、ＥＶＡ樹脂、ＰＵ、ＴＰＵ、ポリアミド樹脂、ポリエステル樹脂、ポリ塩化ビニル樹脂、ポリスチレン樹脂、ポリエチレン樹脂、ポリプロピレン樹脂、アクリル系樹脂及びアクリル系樹脂のうち何れか１つまたは合成物に対して硬化剤を含有して、０．１〜３０ＭＰａの引張強度を有する層で形成されることを特徴とする。
【００２４】
本発明の特徴及び利点は、添付図面に基づいた次の詳細な説明でさらに明らかになる。
これに先立って、本明細書及び特許請求の範囲に使われた用語や単語は、通常の、辞書的な意味として解釈されてはならず、発明者が自分の発明を最も最善の方法で説明するために、用語の概念を適切に定義できるという原則に基づいて、本発明の技術的思想に符合する意味と概念として解釈しなければならない。
【発明の効果】
【００２５】
本発明の一実施形態によるネイル用ステッカーは、ユーザの指爪または足爪に湿式転写方法、または乾式転写方法で容易に転写されて装着されうる。
【００２６】
また、本発明の一実施形態によるネイル用ステッカーは、０．１〜３０ＭＰａの引張強度を有する特徴によって、ユーザの指爪、または足爪に付着された後、使用中に発生する収縮現象を防止して、耐久性を向上させることができる。
【図面の簡単な説明】
【００２７】
【図１】本発明の一実施形態によるネイル用ステッカーの断面図である。
【図２Ａ】本発明の一実施形態によるネイル用ステッカーの着用状態を示す例示図である。
【図２Ｂ】本発明の一実施形態によるネイル用ステッカーの着用断面を示す断面例示図である。
【図３】本発明の一実施形態によるネイル用ステッカーを着用後の上面例示図である。
【図４Ａ】本発明の他の実施形態によるネイル用ステッカーの断面図である。
【図４Ｂ】本発明の他の実施形態によるネイル用ステッカーの着用断面を示す断面例示図である。
【発明を実施するための形態】
【００２８】
本発明の目的、特定の長所及び新規な特徴は、添付図面と関連する以下の詳細な説明と望ましい実施形態とからさらに明らかになる。本明細書で、各図面の構成要素に参照番号を付け加えるに当って、同じ構成要素に限っては、たとえ他の図面上に表示されていても、可能な限り同じ番号を付することに留意しなければならない。また、第１、第２などの用語は、多様な構成要素の説明に使われうるが、前記構成要素は、前記用語によって限定されるものではない。前記用語は、１つの構成要素を他の構成要素から区別する目的のみで使われる。また、本発明を説明するに当って、関連した公知技術についての具体的な説明が、本発明の要旨を不明にする恐れがあると判断される場合、その詳細な説明は省略する。
【００２９】
以下、添付図面を参照して、本発明の望ましい実施形態を詳しく説明する。図１は、本発明の一実施形態によるネイル用ステッカーの断面図である。
【００３０】
本発明の一実施形態によるネイル用ステッカー１００は、下部から第１離型剤層１１０、粘着剤層１２０、中間層１３０、印刷層１４０、及び第２離型剤層１５０を含む。
【００３１】
第１離型剤層１１０と第２離型剤層１５０は、印刷層１４０が指爪または足爪に転写される過程に除去される層であって、第１離型剤層１１０は、粘着剤層１２０の粘着成分の固着化を防止する離型物質を含んで形成され、第２離型剤層１５０は、印刷層１４０の上面を保護しながら、印刷層１４０の熱転写、乾式転写、または湿式転写のために備えることができる。
【００３２】
この際、第１離型剤層１１０と第２離型剤層１５０との成分は、特に限定されるものではないが、例えば、湿式転写のために離型処理された紙、ＰＥＴ（Ｐｏｌｙｅｔｈｙｌｅｎｅ  Ｔｅｒｅｐｈｔｈａｌａｔｅ）、ＰＰ、ＰＥ、ナイロンのうち何れか１つで形成されうる。この際、第１離型剤層１１０と第２離型剤層１５０は、ポリエチレン（Ｐｏｌｙｅｔｈｙｌｅｎｅ）がコーティングされたスポンジで形成されて、離型性を確保することができる。
【００３３】
粘着剤層１２０は、例えば、ＰＳＡ（Ｐｒｅｓｓｕｒｅ  Ｓｅｎｓｉｔｉｖｅ  Ａｄｈｅｓｉｖｅ）、ビニルモノマー系の重合型粘着剤、またはポリウレタン（Ｐｏｌｙｕｒｅｔｈａｎｅ）系の粘着剤などからなりうる。特に、粘着剤層１２０は、ＡＳＴＭ  Ｄ３３３０によって測定された０．３５〜２．０ｋｇｆ／ｉｎの接着力を有しうる。
【００３４】
中間層１３０は、ネイル用ステッカー１００の引張強度（ｍｏｄｕｌｕｓ）を向上させ、光散乱を図って、グロッシー（ｇｌｏｓｓｙ）美感などの審美感を増大させるための層であって、例えば、ＰＥＴ、ＯＰＰ、ＰＰ、ＰＳ、ＰＥ、ＰＶＣ、ＰＶＤＣ、ＥＶＡ樹脂、ＰＵ、ＴＰＵ、ポリアミド樹脂、ポリエステル樹脂、ポリ塩化ビニル樹脂、ポリスチレン樹脂、ポリエチレン樹脂、ポリプロピレン樹脂、及びアクリル樹脂のうち何れか１つまたは組合わせで形成しうる。
【００３５】
このような中間層１３０は、０〜１０％の伸張率区間で０．１〜３０ＭＰａの引張強度を有し、４０〜１００μｍの厚さで少なくとも１つの層、または多層構造で形成されて、ネイル用ステッカー１００の収縮現象を防止し、ゲルコーティングの審美感を向上させることができる。
【００３６】
もちろん、中間層１３０が０．１〜３０ＭＰａの引張強度を有する特徴は、中間層１３０にのみ限定されず、粘着剤層１２０から印刷層１４０までの構造が、０．１〜３０ＭＰａの平均引張強度を有するように備えられる。
【００３７】
ここで、中間層１３０または粘着剤層１２０から印刷層１４０までの構造が、０．１ＭＰａ未満の引張強度を有すれば、ネイル用ステッカー１００の軟性があまりにも高くなって、扱いにくくて、指爪または足爪に着用することが難しくなる。
【００３８】
一方、中間層１３０または粘着剤層１２０から印刷層１４０までの構造が、３０ＭＰａ超過の引張強度を有すれば、ネイル用ステッカー１００の硬度があまりにも高くなって、指爪または足爪に着用する過程でシワが発生し、カッティング（ｃｕｔｔｉｎｇ）時に、切断面がきれいに形成されず、毛羽などが発生する問題がある。
【００３９】
したがって、中間層１３０または粘着剤層１２０から印刷層１４０までの構造は、０．１〜３０ＭＰａの引張強度を有することが望ましい。
【００４０】
印刷層１４０は、インクと媒介体とを含んでデザインが示され、身体に転写される層である。ここで、インクは、色相やデザインを付与するものであって、例えば、人体に安全な顔料（Ｐｉｇｍｅｎｔ）でＣＦＲ（Ｃｏｄｅ  ｏｆ  Ｆｅｄｅｒａｌ  Ｒｅｇｕｌａｔｉｏｎｓ）２１に規定された成分であり、媒介体は、インクを運搬して固着させる役割をするものである。この際、媒介体は、疎水性を有するので、転写された印刷層１４０が水に容易に消されない防水効果を具現することができる。
【００４１】
このような印刷層１４０は、多様なデザインを正確に指爪または足爪に転写し、特に、グラデーション（Ｇｒａｄａｔｉｏｎ、漸移）などの難しいデザインも容易に指爪または足爪に適用することができる。
【００４２】
また、印刷層１４０が、指爪または足爪に転写された後、図２Ａと図２Ｂとに示したように、印刷層１４０の上面に、例えば、グリッター、ブリング、スパンコール、コンフェッティ、ラインストーン、またはパールを含む立体材料１７０を利用した追加的な飾りも可能である。
【００４３】
このような印刷層１４０を形成する方法は、特に限定されるものではないが、グラビア印刷、フレックス印刷、及びスクリーン印刷などを利用できる。この際、印刷層１４０は、前記印刷法を数回繰り返し行って、多様な色相とデザインとを有する多層構造で形成されうる。
【００４４】
このように構成された本発明の一実施形態によるネイル用ステッカー１００は、図２Ａに示したように、指爪または足爪に転写し、転写後、印刷層１４０の上面に立体材料１７０をさらに備えることができる。
【００４５】
具体的に、本発明の一実施形態によるネイル用ステッカー１００の転写過程を説明する。
【００４６】
まず、ネイル用ステッカー１００の第１離型剤層１１０を除去し、粘着剤層１２０がユーザの指爪または足爪に粘着する。
【００４７】
この際、第２離型剤層１５０を擦ってさらに効果的に粘着剤層１２０をユーザの指爪または足爪に粘着させ、第１離型剤層１１０と第２離型剤層１５０が、例えば、湿式転写のために離型処理された紙、ＰＥＴ、ＰＰ、ＰＥ、ナイロンのうち何れか１つで形成されて、湿式転写（ｗｅｔ  ｔｒａｎｓｆｅｒ）方法、または乾式転写（ｄｒｙ  ｔｒａｎｓｆｅｒ）方法でネイル用ステッカー１００の転写がなされうる。
【００４８】
以後、第２離型剤層１５０を除去すれば、ユーザの指爪または足爪には、印刷層１４０が転写された形態で備えられる。ここで、ユーザの他の手の指爪または器具を用いて指爪を外れた粘着剤層１２０から印刷層１４０までの部分を除去することができる。
【００４９】
これにより、図２Ｂに示したように、指爪１０または足爪に粘着剤層１２０から印刷層１４０までの構造が転写されたステッカーが備えられる。
【００５０】
このようなステッカーに対してさらに印刷層１４０の上面にグリッター、ブリング、スパンコール、コンフェッティ、ラインストーン、またはパールを含む立体材料１７０を装着することができる。
【００５１】
このような立体材料１７０の一部は、光散乱の性質を有するので、印刷層１４０の上面で光にきらめく性質を有した宝石のような感じを具現することができる。この際、立体材料１７０は、印刷層１４０の上面に塗った接着剤を介して散布（自由落下）など多様な方法で付着されることによって、図３に示したように、所望の形状やサイズに具現されうる。
【００５２】
このように、本発明の一実施形態によるネイル用ステッカー１００は、ユーザの指爪１０または足爪に湿式転写方法、または乾式転写方法で容易に転写されて装着されうる。
【００５３】
また、本発明の一実施形態によるネイル用ステッカー１００は、０．１〜３０ＭＰａの引張強度を有する特徴によって、ユーザの指爪１０または足爪に付着された後、使用中に発生する収縮現象を防止して、耐久性を向上させることができる。
【００５４】
以下、本発明の他の実施形態によるネイル用ステッカーについて図４Ａ及び図４Ｂを参照して説明する。図４Ａは、本発明の他の実施形態によるネイル用ステッカーの断面図であり、図４Ｂは、本発明の他の実施形態によるネイル用ステッカーの着用断面を示す断面例示図である。
【００５５】
本発明の他の実施形態によるネイル用ステッカー２００は、下部から第１離型剤層２１０、粘着剤層２２０、中間層２３２、印刷層２４０、コーティング層２３４及び第２離型剤層２５０を含む。
【００５６】
第１離型剤層２１０と第２離型剤層２５０は、印刷層２４０が指爪または足爪に転写される過程に除去される層であって、第１離型剤層２１０は、粘着剤層２２０の粘着成分の固着化を防止する離型物質を含んで形成され、第２離型剤層２５０は、印刷層２４０の上面を保護しながら、印刷層２４０の熱転写、乾式転写、または湿式転写のために備えることができる。
【００５７】
この際、第１離型剤層２１０と第２離型剤層２５０との成分は、特に限定されるものではないが、例えば、湿式転写のために離型処理された紙、ＰＥＴ、ＰＰ、ＰＥ、ナイロンのうち何れか１つで形成されうる。この際、第１離型剤層２１０と第２離型剤層２５０は、ポリエチレンがコーティングされたスポンジで形成されて、離型性を確保することができる。
【００５８】
粘着剤層２２０は、例えば、ＰＳＡ、ビニルモノマー系の重合型粘着剤、またはポリウレタン系の粘着剤などからなりうる。特に、粘着剤層２２０は、ＡＳＴＭ  Ｄ３３３０によって測定された０．３５〜２．０ｋｇｆ／ｉｎの接着力を有しうる。
【００５９】
中間層２３２は、ネイル用ステッカー２００の引張強度を向上させ、光散乱を図って、グロッシー美感などの審美感を増大させるための層であって、例えば、ＰＥＴ、ＯＰＰ、ＰＰ、ＰＳ、ＰＥ、ＰＶＣ、ＰＶＤＣ、ＥＶＡ樹脂、ＰＵ、ＴＰＵ、ポリアミド樹脂、ポリエステル樹脂、ポリ塩化ビニル樹脂、ポリスチレン樹脂、ポリエチレン樹脂、ポリプロピレン樹脂、及びアクリル樹脂のうち何れか１つまたは組合わせで形成しうる。
【００６０】
このような中間層２３２は、０〜１０％の伸張率区間で０．１〜３０ＭＰａの引張強度を有し、４０〜１００μｍの厚さで少なくとも１つの層、または多層構造で形成されて、ネイル用ステッカー２００の収縮現象を防止し、ゲルコーティングの審美感を向上させることができる。
【００６１】
もちろん、中間層２３２が０．１〜３０ＭＰａの引張強度を有する特徴は、中間層２３２にのみ限定されず、粘着剤層２２０からコーティング層２３４までの構造が、０．１〜３０ＭＰａの平均引張強度を有するように備えられる。
【００６２】
ここで、中間層２３２または粘着剤層２２０からコーティング層２３４までの構造が、０．１ＭＰａ未満の引張強度を有すれば、ネイル用ステッカー２００の軟性があまりにも高くなって、扱いにくくて、指爪または足爪に着用することが難しくなる。
【００６３】
一方、中間層２３２または粘着剤層２２０からコーティング層２３４までの構造が、３０ＭＰａ超過の引張強度を有すれば、ネイル用ステッカー２００の硬度があまりにも高くなって、指爪または足爪に着用する過程でシワが発生し、カッティング時に、切断面がきれいに形成されず、毛羽などの発生する問題がある。
【００６４】
したがって、中間層２３２または粘着剤層２２０からコーティング層２３４までの構造は、０．１〜３０ＭＰａの引張強度を有することが望ましい。
【００６５】
印刷層２４０は、インクと媒介体とを含んでデザインが示され、身体に転写される層である。ここで、インクは、色相やデザインを付与するものであって、例えば、人体に安全な顔料でＣＦＲ２１に規定された成分であり、媒介体は、インクを運搬して固着させる役割をするものである。この際、媒介体は、疎水性を有するので、転写された印刷層２４０が水に容易に消されない防水効果を具現することができる。
【００６６】
印刷層２４０を形成する方法は、特に限定されるものではないが、グラビア印刷、フレックス印刷、及びスクリーン印刷などを利用できる。この際、印刷層２４０は、前記印刷法を数回繰り返し行って、多様な色相とデザインとを有する多層構造で形成されうる。
【００６７】
このような印刷層２４０は、多様なデザインを正確に指爪または足爪に転写し、特に、グラデーション（漸移）などの難しいデザインも容易に指爪または足爪に適用することができる。
【００６８】
コーティング層２３４は、印刷層２４０を覆って平坦化を成した層であって、１０μｍ〜４００μｍの厚さで形成され、印刷層２４０の凹凸の表面を覆って平坦な面を有し、印刷層２４０の損傷を防止する層で形成される。
【００６９】
具体的に、コーティング層２３４は、例えば、ＵＶ硬化型塗料、ＰＥＴ、ＯＰＰ、ＰＰ、ＰＳ、ＰＥ、ＰＶＣ、ＰＶＤＣ、ＥＶＡ樹脂、ＰＵ、ＴＰＵ、ポリアミド樹脂、ポリエステル樹脂、ポリ塩化ビニル樹脂、ポリスチレン樹脂、ポリエチレン樹脂、ポリプロピレン樹脂、アクリル系樹脂及びアクリル系樹脂のうち何れか１つまたは組合わせでロールコーティング、コンマコーティング、スクリーンプリンティングまたはスプレーコーティングで形成されうる。
【００７０】
このようなコーティング層２３４は、印刷層２４０の上面で光の散乱を向上させ、ゲルネイルのグロッシー美感を演出し、スクラッチ（ｓｃｒａｔｃｈ）またはクラック（ｃｒａｃｋ）のように外部衝撃の影響を防止する層で形成される。
【００７１】
特に、コーティング層２３４が、ＵＶ硬化型塗料を含有した層で形成される場合に、コーティング層２３４にＵＶを照射硬化させて、０．１〜３０ＭＰａの引張強度を有するように形成しうる。
【００７２】
一方、コーティング層２３４が、ＰＥＴ、ＯＰＰ、ＰＰ、ＰＳ、ＰＥ、ＰＶＣ、ＰＶＤＣ、ＥＶＡ樹脂、ＰＵ、ＴＰＵ、ポリアミド樹脂、ポリエステル樹脂、ポリ塩化ビニル樹脂、ポリスチレン樹脂、ポリエチレン樹脂、ポリプロピレン樹脂、アクリル系樹脂及びアクリル系樹脂のうち何れか１つまたは組合わせで形成される場合、選択的に硬化剤を使って、コーティング層２３４が、０．１〜３０ＭＰａの引張強度を有する層で形成することもできる。ここで、硬化剤は、前述した樹脂と混じる混和性（ｃｏｍｐａｔｉｂｉｌｉｔｙ）に優れながらも、樹脂の引張強度を強化させる種類で適切に選択して適用可能である。
【００７３】
このように構成された本発明の他の実施形態によるネイル用ステッカー２００は、図４Ｂに示したように、指爪１０または足爪に転写し、転写後、コーティング層２３４の上面に立体材料２７０をさらに備えることができる。
【００７４】
具体的に、本発明の他の実施形態によるネイル用ステッカー２００の転写過程を説明する。
【００７５】
まず、ネイル用ステッカー２００の第１離型剤層２１０を除去し、粘着剤層２２０がユーザの指爪１０または足爪に粘着する。
【００７６】
この際、第２離型剤層２５０を擦ってさらに効果的に粘着剤層２２０をユーザの指爪または足爪に粘着させ、第１離型剤層２１０と第２離型剤層２５０が、例えば、湿式転写のために離型処理された紙、ＰＥＴ、ＰＰ、ＰＥ、ナイロンのうち何れか１つで形成されて、湿式転写方法、または乾式転写方法でネイル用ステッカー２００の転写がなされうる。
【００７７】
以後、第２離型剤層２５０を除去すれば、ユーザの指爪または足爪には、印刷層２４０が転写された形態で備えられる。ここで、ユーザの他の手の指爪または器具を用いて指爪を外れた粘着剤層２２０からコーティング層２３４までの部分を除去することができる。
【００７８】
これにより、図４Ｂに示したように、指爪１０または足爪に粘着剤層２２０からコーティング層２３４までの構造が転写されたステッカーが備えられる。
【００７９】
このようなステッカーに対してさらにコーティング層２３４の上面にグリッター、ブリング、スパンコール、コンフェッティ、ラインストーン、またはパールを含む立体材料２７０を装着することができる。
【００８０】
このような立体材料２７０の一部は、光散乱の性質を有するので、コーティング層２３４の上面で光にきらめく性質を有した宝石のような感じを具現することができる。この際、立体材料２７０は、コーティング層２３４の上面に塗った接着剤を介して散布（自由落下）の方法で付着されるか、またはコーティング層２３４が硬化される前にコーティング層２３４の上部に粘着されるなどの多様な方法で付着されうる。
【００８１】
このように、本発明の他の実施形態によるネイル用ステッカー２００は、ユーザの指爪１０または足爪に湿式転写方法、または乾式転写方法で容易に転写されて装着され、コーティング層２３４によって光の散乱を向上させて、ゲルネイルのグロッシー美感を演出し、スクラッチまたはクラックのように外部衝撃の影響を防止することができる。
【００８２】
また、本発明の他の実施形態によるネイル用ステッカー２００は、中間層２３２または粘着剤層２２０からコーティング層２３４までの構造が０．１〜３０ＭＰａの引張強度を有する特徴によって、ユーザの指爪または足爪に付着された後、使用中に発生する収縮現象を防止して、耐久性を向上させることができる。
【００８３】
本発明の技術思想は、前記望ましい実施形態によって具体的に記述されたが、前述した実施形態は、その説明のためのものであり、その制限のためのものではないということを注意しなければならない。
【００８４】
また、当業者ならば、本発明の技術思想の範囲内で多様な実施が可能であるということを理解できるであろう。
【産業上の利用可能性】
【００８５】
本発明は、ネイル用ステッカー関連の分野に適用可能である。
【符号の説明】
【００８６】
１００、２００：ネイル用ステッカー
１１０、２１０：第１離型層
１２０、２２０：粘着剤層
１３０、２３２：中間層
１４０、２４０：印刷層
１５０、２５０：第２離型層
１７０、２７０：立体材料
２３４：コーティング層
【図１】
2015036117.tif 000003
【図２Ａ】
2015036117.tif 000004
【図２Ｂ】
2015036117.tif 000005
【図３】
2015036117.tif 000006
【図４Ａ】
2015036117.tif 000007
【図４Ｂ】
2015036117.tif 000008